(57)【要約】【課題】低コストで、簡単に製造することができ、使い勝手が良く、取扱い性にも優れている掛寝具（例えば、毛布、掛け蒲団あるいは、このような毛布や掛け蒲団に装着して使用されるカバー）であって、使用しているときに、寝ている人の首周りを保温することに適した掛寝具。【解決手段】矩形の掛寝具の内部に、当該掛寝具の一辺から抜き出して延ばすことのできる保温性を有する布体が、当該掛寝具の内部から出し入れ自在に配備されている。矩形の掛寝具の一辺、又は、矩形の掛寝具に装着されるカバーの一辺に、保温性を有する布体の一方の辺が取り付けられ、当該一方の辺に対向する前記保温性を有する布体の他方の辺が自由端になっている。矩形の掛寝具に装着されるカバーの内部に、当該カバーの一辺から抜き出して延ばすことのできる保温性を有する布体が、当該カバーの内部から出し入れ自在に配備されている。【選択図】図１
0003151973.tif 000002
【実用新案登録請求の範囲】
【請求項１】
矩形の掛寝具の内部に、当該掛寝具の一辺から抜き出して延ばすことのできる保温性を有する布体が、当該掛寝具の内部から出し入れ自在に配備されていることを特徴とする掛寝具。
【請求項２】
矩形の掛寝具の一辺、又は、矩形の掛寝具に装着されるカバーの一辺に、保温性を有する布体の一方の辺が取り付けられ、当該一方の辺に対向する前記保温性を有する布体の他方の辺が自由端になっていることを特徴とする掛寝具。
【請求項３】
矩形の掛寝具に装着されるカバーの内部に、当該カバーの一辺から抜き出して延ばすことのできる保温性を有する布体が、当該カバーの内部から出し入れ自在に配備されていることを特徴とする掛寝具。
【考案の詳細な説明】
【技術分野】
【０００１】  この考案は、毛布、掛け蒲団あるいは、毛布や掛け蒲団に装着して使用されるカバーなどの掛寝具に関し、この掛寝具を掛けて寝ている人の首もとを保温することに適した掛寝具に関する。
【背景技術】
【０００２】  従来から、掛け蒲団と共に使用されて、寝ている人の首もとを保温することに適した掛寝具に関しては種々の提案が行なわれている（例えば、特許文献１）。
【特許文献１】実用新案登録第３０４１６４４号公報
【考案の開示】
【考案が解決しようとする課題】
【０００３】  従来から種々提案されているものは、特定の形状・構造の襟元カバーのようなものを準備し、掛け蒲団の寝ている人の首に接触する領域にこれを取り付ける、等々するものであって、作成や、使用において、種々の工夫が必要であった。【０００４】  そこで、この考案は、低コストで、簡単に製造することができ、使い勝手が良く、取扱い性にも優れている、掛寝具（例えば、毛布、掛け蒲団あるいは、毛布や掛け蒲団に装着して使用されるカバー）であって、使用しているときに、寝ている人の首周りを保温することに適した掛寝具を提供することを目的にしている。
【課題を解決するための手段】
【０００５】  前記目的を達成するため本願は以下の考案を提案するものである。【０００６】  請求項１記載の考案は、
矩形の掛寝具の内部に、当該掛寝具の一辺から抜き出して延ばすことのできる保温性を有する布体が、当該掛寝具の内部から出し入れ自在に配備されていることを特徴とする掛寝具
である。【０００７】  請求項２記載の考案は、
矩形の掛寝具の一辺、又は、矩形の掛寝具に装着されるカバーの一辺に、保温性を有する布体の一方の辺が取り付けられ、当該一方の辺に対向する前記保温性を有する布体の他方の辺が自由端になっていることを特徴とする掛寝具
である。【０００８】  請求項３記載の考案は、
矩形の掛寝具に装着されるカバーの内部に、当該カバーの一辺から抜き出して延ばすことのできる保温性を有する布体が、当該カバーの内部から出し入れ自在に配備されていることを特徴とする掛寝具
である。
【考案の効果】
【０００９】  この考案によれば、低コストで、簡単に製造することができ、使い勝手が良く、取扱い性にも優れている、掛寝具（例えば、毛布、掛け蒲団あるいは、毛布や掛け蒲団に装着して使用されるカバー）であって、使用しているときに、寝ている人の首周りを保温することに適した掛寝具を提供することができる。
【考案を実施するための最良の形態】
【００１０】  以下、添付図面を参照して本考案の好ましい実施例を説明する。
【実施例１】
【００１１】  図１（ａ）、（ｂ）図示のこの考案の掛寝具１は、矩形の掛寝具（例えば、毛布や、掛け蒲団）２の内部に、掛寝具２の一辺４から抜き出して延ばすことのできる保温性を有する布体３が、掛寝具２の内部から出し入れ自在に配備されているものである。【００１２】  矩形の掛寝具（例えば、毛布や、掛け蒲団）２の一辺４は、例えば、スライドファスナーなどにより開閉自在にされており、ここを開けて、矩形の掛寝具２の内部に配備されている布体３の符号３ｂで示す部分を抜き出して使用する（図１（ｂ））。【００１３】  すなわち、図示の実施形態では、保温性を有する布体３は、矩形の掛寝具２の一辺４に直交する辺が延びる方向において、矩形の掛寝具２の一辺４に直交する辺の長さより長く、図１（ａ）図示の状態では、図１（ｂ）中、符号３ｂで示される部分を折り畳んで矩形の掛寝具２の内部に納めている。【００１４】  寝ている人に掛寝具１を掛けて使用するときには、矩形の掛寝具２の一辺４を開け、布体３の符号３ｂで示す部分を抜き出して使用する（図１（ｂ））。この際、前述したように、布体３は、矩形の掛寝具２の一辺４に直交する辺が延びる方向において、矩形の掛寝具２の一辺４に直交する辺の長さより長いので、矩形の掛寝具２の内部には、布体３の符号３ａで示す部分が依然として存在している。【００１５】  このように、必要に応じて、布体３の符号３ｂで示す部分を矩形の掛寝具２の一辺４から抜き出して使用することにより、掛寝具１を使用して寝ている人の首周りの保温を図ることができる。【００１６】  保温性を有する布体３はフリース製とすることができるが、保温性を有する布体であればこれに限られない。
【実施例２】
【００１７】  図２図示の掛寝具１０は、矩形の掛寝具（例えば、毛布や、掛け蒲団）１１の一辺１２、又は、矩形の掛寝具に装着されるカバーの一辺に、保温性を有する布体１３の一方の辺１４が取り付けられ、この一方の辺１４に対向する保温性を有する布体１３の他方の辺１５が自由端になっているものである。【００１８】  掛寝具１０を掛けて使用するときに、矩形の掛寝具１１の一辺１２を寝ている人の首、頭部側にすれば、布体１３によって掛寝具１０を使用して寝ている人の首周りの保温を図ることができる。【００１９】  ここでも、保温性を有する布体１３はフリース製とすることができるが、保温性を有する布体であればこれに限られない。
【実施例３】
【００２０】  図３（ａ）〜（ｃ）図示の掛寝具５は、矩形の掛寝具９に装着されるカバー６の内部に、カバー６の一辺８から抜き出して延ばすことのできる保温性を有する布体７が、カバー６の内部から出し入れ自在に配備されているものである。【００２１】  カバー６の一辺８は、例えば、スライドファスナーなどにより開閉自在にされており、ここを開けて、カバー６の内部に配備されている布体７の符号７ｂで示す部分を抜き出して使用する（図３（ｂ）、（ｃ））。【００２２】  すなわち、図示の実施形態では、保温性を有する布体３は、カバー６の一辺８に直交する辺が延びる方向において、カバー６の一辺８に直交する辺の長さより長く、図３（ａ）図示の状態では、図３（ｂ）中、符号７ｂで示される部分を折り畳んでカバー６の内部に納めている。【００２３】  矩形の掛寝具９にカバー６を装着し、これを寝ている人に掛けて使用するときには、図３（ｃ）図示のように、カバー６の一辺８を開け、布体７の符号７ｂで示す部分を抜き出して使用する（図３（ｃ））。この際、前述したように、布体７は、カバー６の一辺８に直交する辺が延びる方向において、カバー６の一辺８に直交する辺の長さより長いので、カバー６の内部には、布体７の符号７ａで示す部分が依然として存在している。【００２４】  このように、必要に応じて、布体７の符号７ｂで示す部分をカバー６の一辺８から抜き出して使用することにより、カバー６が装着されている矩形の掛寝具９を使用して寝ている人の首周りの保温を図ることができる。【００２５】  ここでも、保温性を有する布体７はフリース製とすることができるが、保温性を有する布体であればこれに限られない。
【図面の簡単な説明】
【００２６】
【図１】（ａ）本考案の掛寝具の第一の実施例を説明する平面図、（ｂ）図１（ａ）図示の掛寝具の使用状態を説明する平面図。
【図２】本考案の掛寝具の第二の実施例を説明する平面図。
【図３】（ａ）本考案の掛寝具の第三の実施例を説明する平面図、（ｂ）図３（ａ）図示の掛寝具の内部に配備されている布体が外部に引き出された状態を説明する平面図、（ｃ）図３（ａ）図示の掛寝具が使用されている状態を説明する平面図。
【符号の説明】
【００２７】１  掛寝具
２  矩形の掛寝具
４  矩形の掛寝具の一辺
３、３ａ、３ｂ  保温性を有する布体
１０  掛寝具
１１  矩形の掛寝具
１２  矩形の掛寝具の一辺
１３  保温性を有する布体
１４  保温性を有する布体の一方の辺
１５  保温性を有する布体の他方の辺
５  掛寝具
９  矩形の掛寝具
６  カバー
８  カバーの一辺
７、７ａ、７ｂ  保温性を有する布体
【図１】
0003151973.tif 000003
【図２】
0003151973.tif 000004
【図３】
0003151973.tif 000005
【手続補正書】
【提出日】平成21年4月11日(2009.4.11)
【手続補正１】
【補正対象書類名】実用新案登録請求の範囲
【補正対象項目名】全文
【補正方法】変更
【補正の内容】
【実用新案登録請求の範囲】
【請求項１】
一辺が開閉自在にされている矩形の掛寝具の内部に保温性を有する布体が配備されており、
当該保温性を有する布体の前記矩形の掛寝具の前記一辺に直交する辺が延びる方向の長さは、前記矩形の掛寝具の前記一辺に直交する辺の長さより大きく、
前記矩形の掛寝具の内部に配備されている前記保温性を有する布体の、前記矩形の掛寝具の前記一辺に直交する辺の長さより大きい部分を、前記矩形の掛寝具の前記一辺を開口して前記矩形の掛寝具の内部から抜き出すことができる
ことを特徴とする掛寝具。
【請求項２】
矩形の掛寝具の一辺、又は、矩形の掛寝具に装着されるカバーの一辺に、保温性を有する布体の一方の辺が取り付けられ、当該一方の辺に対向する前記保温性を有する布体の他方の辺が自由端になっていることを特徴とする掛寝具。
【請求項３】
矩形の掛寝具に装着されるカバーであって、一辺が開閉自在にされているカバーの内部に保温性を有する布体が配備されており、
当該保温性を有する布体の前記カバーの前記一辺に直交する辺が延びる方向の長さは、前記カバーの前記一辺に直交する辺の長さより大きく、
前記カバーの内部に配備されている前記保温性を有する布体の、前記カバーの前記一辺に直交する辺の長さより大きい部分を、前記カバーの前記一辺を開口して前記カバーの内部から抜き出すことができる
ことを特徴とする掛寝具。
【手続補正２】
【補正対象書類名】明細書
【補正対象項目名】０００６
【補正方法】変更
【補正の内容】
【０００６】  請求項１記載の考案は、
一辺が開閉自在にされている矩形の掛寝具の内部に保温性を有する布体が配備されており、
当該保温性を有する布体の前記矩形の掛寝具の前記一辺に直交する辺が延びる方向の長さは、前記矩形の掛寝具の前記一辺に直交する辺の長さより大きく、
前記矩形の掛寝具の内部に配備されている前記保温性を有する布体の、前記矩形の掛寝具の前記一辺に直交する辺の長さより大きい部分を、前記矩形の掛寝具の前記一辺を開口して前記矩形の掛寝具の内部から抜き出すことができ
ることを特徴とする掛寝具
である。
【手続補正３】
【補正対象書類名】明細書
【補正対象項目名】０００８
【補正方法】変更
【補正の内容】
【０００８】  請求項３記載の考案は、
矩形の掛寝具に装着されるカバーであって、一辺が開閉自在にされているカバーの内部に保温性を有する布体が配備されており、
当該保温性を有する布体の前記カバーの前記一辺に直交する辺が延びる方向の長さは、前記カバーの前記一辺に直交する辺の長さより大きく、
前記カバーの内部に配備されている前記保温性を有する布体の、前記カバーの前記一辺に直交する辺の長さより大きい部分を、前記カバーの前記一辺を開口して前記カバーの内部から抜き出すことができる
ことを特徴とする掛寝具
である。